【手続補正書】
【提出日】平成24年2月21日(2012.2.21)
【手続補正１】
【補正対象書類名】特許請求の範囲
【補正対象項目名】全文
【補正方法】変更
【補正の内容】
【特許請求の範囲】
【請求項１】
第１の移動局（17）、第２の移動局、基地局装置（12）、前記基地局装置を制御する制御手段（11）および前記第１と第２の移動局を位置決めする手段（13.1、13.2、11、18、22）を含む移動通信ネットワークにおける装置であって、前記第１の移動局は、捜す側の移動局であり、前記第２の移動局は捜される側の移動局である装置において、
前記位置決め手段（13.1、13.2、11、18、22）と、前記第１の移動局の位置を基準として前記位置データを処理し、前記第１の移動局に前記第２の移動局の位置情報を提供する手段とから受信された、前記第１と第２のアクティブになった移動局に関する位置データを格納する、データ格納装置（16）を含むことを特徴とする前記装置。
【請求項２】
請求項１記載の装置であって、前記位置の処理は、適応型であること、つまり、各種レベルで実行されることを特徴とする前記装置。
【請求項３】
請求項１記載の装置であって、前記データ格納装置（16）は、前記第２の移動局と追加移動局と対応する加入者について実質的につくられたリスト（30）を含むことを特徴とする前記装置。
【請求項４】
請求項１から請求項３のいずれかに記載の装置であって、前記第２の移動局の状態を検出する手段を更に含むことを特徴とする前記装置。
【請求項５】
請求項４記載の装置であって、前記状態は、前記第２の移動局の話し中状態／遊休（idle）状態、および／または接続されている状態／切断されている状態を含むことを特徴とする前記装置。
【請求項６】
請求項３記載の装置であって、前記データベース（16）は、前記加入者の興味、年齢、友人と親戚および医療情報を含むことを特徴とする前記装置。
【請求項７】
先行する請求項のいずれかに記載の装置であって、前記データベースの内容の少なくとも一部は、前記第１の移動局に送信されて表示されることを特徴とする前記装置。
【請求項８】
請求項７記載の装置であって、前記送信は、前記第１の移動局が前記移動通信ネットワークに接続されている場合に実行されることを特徴とする前記装置。
【請求項９】
請求項８記載の装置であって、前記送信は、前記第１の移動局のユーザーの要求があると実行されることを特徴とする前記装置。
【請求項１０】
請求項７記載の装置であって、前記移動局は、前記情報の転送と表示のためのアンストラクチャード・サプリメンタリ・サブスクライバ・データ（USSD）のテキスト表示、短メッセージ・サービス（SMS）、ジェネラル・パケット・ラジオ・サービス（GPRS）、無線アプリケーション・プロトコル（WAP）を含むグループのメンバーである少なくとも１つのプロトコルが提供されることを特徴とする前記装置。
【請求項１１】
請求項１０記載の装置であって、前記使用されるプロトコルの型式は、MSの型式によって決まることを特徴とする前記装置。
【請求項１２】
請求項３記載の装置であって、前記リスト（30）は、公開データ部（31）と秘密データ部（32）を有することを特徴とする前記装置。
【請求項１３】
先行する請求項のいずれかに記載の装置であって、前記移動通信ネットワークは、望ましくは、移動通信用グローバル・システム（GSM）、パーソナル。デジタル。セルラー（PDC）、デジタル・アドバンスト・モバイルホン・サービス（DAMPS）またはセルラー・デジタル・パケット・データ（CDPD）の１つである、セルラー移動通信ネットワークであることを特徴とする前記装置。
【請求項１４】
先行する請求項のいずれかに記載の装置であって、移動局の前記位置は、外部の位置決め装置（１８）、全地球測位システム（GPS）またはGLONASS（地球軌道衛星航法システム）を使用して決定されることを特徴とする前記装置。
【請求項１５】
先行する請求項のいずれかに記載の装置であって、前記移動局は、移動機装置（21）と識別装置（25）を含むことを特徴とする前記装置。
【請求項１６】
請求項１５記載の装置であって、前記識別装置（25）は、加入者識別モジュール（SIM）、および／または指紋装置（FPC）、および／または一意の電話機体番号であることを特徴とする前記装置。
【請求項１７】
請求項１記載の装置であって、前記データ格納装置は、メモリ装置またはデータベース装置を含むことを特徴とする前記装置。
【請求項１８】
先行する請求項のいずれかに記載の装置であって、前記情報は、グラフィカル・インターフェースを介して表示されることを特徴とする前記装置。
【請求項１９】
先行する請求項のいずれかに記載の装置であって、前記位置決めは、前記移動局の接続以前のステップで実行されることを特徴とする前記装置。
【請求項２０】
第１と第２の移動局（17）に対する無線リンクを制御する基地局サブシステム（22）、移動体通信交換局（11）を含むネットワーク・サブシステム（23）、ホーム・ロケーション・レジスタ（13.1）およびビジター・ロケーション・レジスタ（13.2）を含む移動通信ネットワーク（20）であって、各移動局は移動機装置（21）と加入者識別モジュール（25）を含む移動通信ネットワークにおいて、
位置決め手段（13.1、13.2、11、18、22）と、前記第１の移動局を基準として前記位置データを処理し、前記第１の移動局に前記第２の移動局の位置情報を提供する制御装置（27）とから受信された、前記アクティブになった移動局に関する位置データを格納するデータ格納装置（16）を、更に含むことを特徴とする前記ネットワーク。
【請求項２１】
請求項２０記載のネットワークであって、前記データ格納装置（16）は、前記ネットワーク・サブシステム（23）に配置されることを特徴とする前記ネットワーク。
【請求項２２】
請求項２０または請求項２１のいずれかに記載のネットワークであって、前記制御装置（27）は、前記ネットワーク・サブシステム（23）に配置されることを特徴とする前記ネットワーク。
【請求項２３】
請求項２０から請求項２２のいずれかに記載のネットワークであって、前記データベース（16）は、前記ホーム・ロケーション・レジスタ（13.1）またはビジター・ロケーション・レジスタ（13.2）に統合されることを特徴とする前記ネットワーク。
【請求項２４】
請求項２０から請求項２３のいずれかに記載のネットワークであって、前記制御装置（27）は、前記移動体通信交換局（11）に統合されることを特徴とする前記ネットワーク。
【請求項２５】
請求項２０から請求項２４のいずれかに記載のネットワークであって、移動局の前記位置は、接続中の基地局を位置決めすること、および／または信号強度を測定すること、および／または時間の進みを測定すること、および／または三角測量を介して決定されることを特徴とする前記ネットワーク。
【請求項２６】
請求項２０から請求項２５のいずれかに記載のネットワークであって、移動局の前記位置は、外部の位置決め装置（１８）、全地球測位システム（GPS）またはGLONASS（地球軌道衛星航法システム）を使用して決定されることを特徴とする前記ネットワーク。
【請求項２７】
請求項２０から請求項２６のいずれかに記載のネットワークであって、前記ネットワークは、他のネットワークにローミングする手段を含むことを特徴とする前記ネットワーク。
【請求項２８】
無線通信回路網における少なくとも２つの移動局間の高い料金コールの回数を減らす方法において、この方法は、
前記移動局の位置と状態及びユーザーより提供される状態の情報を定期的に格納するデータ格納装置により、前記移動局の内の少なくとも１つの移動局に関する前記情報を、前記移動局間の状態および／又は相対距離に関して、他の移動局に提供し、コールがキャンセルされることを特徴とする前記方法。